(57)【要約】      （修正有）【課題】蛍光Ｘ線分析装置を用いて粉末状の試料を分析する際に、粉末試料を試料容器に入れる作業を容易にする蛍光Ｘ線分析のための試料作製用漏斗及び試料作製用具セットを提供する。【解決手段】上側開口１０４と、前記上側開口よりも開口面積の小さい下側開口１０６と、前記上側開口から前記下側開口に向かって傾斜した内側側面１０８と、前記内側側面の下端と前記下側開口との間の差込口１１０と、を有する漏斗部と、前記漏斗部と一体化され、床と接触して自立する支持脚部１１４と、を有する蛍光Ｘ線分析用の粉末試料を試料容器に入れる試料作製用漏斗１００であって、前記下側開口は、内部に配置される前記試料容器の上端よりも低い位置に配置され、前記試料容器の動きを規制する。【選択図】図２
0003211912.tif 000002
【実用新案登録請求の範囲】
【請求項１】
上側開口と、前記上側開口よりも開口面積の小さい下側開口と、前記上側開口から前記下側開口に向かって傾斜した内側側面と、前記内側側面の下端と前記下側開口との間の差込口と、を有する漏斗部と、
前記漏斗部と一体化され、床と接触して自立する支持脚部と、
を有する蛍光Ｘ線分析用の粉末試料を試料容器に入れる試料作製用漏斗であって、
前記下側開口は、内部に配置される前記試料容器の上端よりも低い位置に配置され、前記試料容器の動きを規制することを特徴とする試料作製用漏斗。
【請求項２】
請求項１に記載の試料作製用漏斗と、前記試料容器に入れられた試料を押し固める押し棒と、を有する試料作製用具セットであって、
前記押し棒の下側端部の外径は、前記差込口の内径より小さいかまたは同じであり、
前記押し棒は、前記下側開口に挿入されて保管されることを特徴とする試料作製用具セット。
【請求項３】
前記押し棒は、保管された状態で前記下側端部を床から離れた位置に保持する当接部を有することを特徴とする請求項２に記載の試料作製用具セット。
【請求項４】
さらに、前記内側側面の外側に、前記内側側面と傾きの異なる外側側面を有し、
前記内側側面と前記外側側面の間は、充填された構造であることを特徴とする請求項１乃至３のいずれかに記載の試料作製用漏斗または試料作製用具セット。
【請求項５】
前記外側側面は、前記支持脚部と連続的に形成されることを特徴とする請求項４に記載の試料作製用漏斗または試料作製用具セット。
【請求項６】
床から前記下側開口までの高さより高い前記試料容器の縁に当接する平坦部を、前記漏斗部の外側に有することを特徴とする請求項１乃至５のいずれかに記載の試料作製用漏斗または試料作製用具セット。
【請求項７】
前記支持脚部の側面に、前記試料容器の有無が確認できる側面開口を有することを特徴とする請求項１乃至６のいずれかに記載の試料作製用漏斗または試料作製用具セット。
【請求項８】
前記試料作製用漏斗または前記押し棒は、ポリエチレン、ポリプロピレン、ポリオキシメチレンまたはポリテトラフルオロエチレンで形成されることを特徴とする請求項１乃至７のいずれかに記載の試料作製用漏斗または試料作製用具セット。
【請求項９】
前記試料作製用漏斗または前記押し棒は、帯電防止剤を含む樹脂で形成されることを特徴とする請求項１乃至８のいずれかに記載の試料作製用漏斗または試料作製用具セット。
【考案の詳細な説明】
【技術分野】
【０００１】
本考案は、蛍光Ｘ線分析のための試料作製用漏斗及び試料作製用具セットに関する。
【背景技術】
【０００２】
粉末や流体物を入口の小さい容器に入れる場合、作業を容易なものとするために漏斗が用いられることがある。例えば、下記特許文献１は、漏斗体の下面に、容器と接触する脚部を設けた漏斗を開示している。下記特許文献２は、熱可塑性樹脂のフィルムを逆円錐形状とした漏斗を開示している。下記特許文献３は、流体を流し込む容器に固定されるスタンドを有するじょうごを開示している。下記特許文献４は、円錐形状の漏斗本体と、漏斗本体を支える複数の脚部とを有し、複数の脚部で囲まれる空間に流動体を受ける容器を配置可能な空間がある漏斗を開示している。下記特許文献５は、伸縮することができる脚が取り付けられた漏斗を開示している。
【先行技術文献】
【特許文献】
【０００３】
【特許文献１】実開昭５３−１３９６２０号公報
【特許文献２】実開平４−３００００号公報
【特許文献３】登録実用新案第３１４４３９１号公報
【特許文献４】登録実用新案第３１２０１４９号公報
【特許文献５】特開２００２−１０４５８８号公報
【考案の概要】
【考案が解決しようとする課題】
【０００４】
蛍光Ｘ線分析装置によって分析される試料は、粉末状である場合がある。粉末の試料を試料容器に入れるためにスパチュラを用いた場合、少量の試料を数回に分けて慎重に作業する必要があり、時間がかかる。
【０００５】
また、特許文献１乃至３に開示された漏斗またはじょうごは自立しない為、手で押さえる必要があり煩雑である。さらに、特許文献４及び５に開示された漏斗は、水や飲料等の日常で用いられる液体を異なる容器に入れ替える際に用いられる漏斗である。その為、当該漏斗は、試料の準備に精密な作業を要する蛍光Ｘ線分析用の試料に用いることはできない。
【０００６】
本考案は上記課題に鑑みてなされたものであって、その目的は、蛍光Ｘ線分析装置を用いて粉末状の試料を分析する際に、粉末状の試料を試料容器に入れる作業を容易にする試料作製用漏斗及び試料作製用具セットを提供することである。
【課題を解決するための手段】
【０００７】
請求項１に記載の試料作製用漏斗は、上側開口と、前記上側開口よりも開口面積の小さい下側開口と、前記上側開口から前記下側開口に向かって傾斜した内側側面と、前記内側側面の下端と前記下側開口との間の差込口と、を有する漏斗部と、前記漏斗部と一体化され、床と接触して自立する支持脚部と、を有する蛍光Ｘ線分析用の粉末試料を試料容器に入れる試料作製用漏斗であって、前記下側開口は、内部に配置される前記試料容器の上端よりも低い位置に配置され、前記試料容器の動きを規制することを特徴とする。
【０００８】
請求項２に記載の試料作製用具セットは、請求項１に記載の試料作製用漏斗と、前記試料容器に入れられた試料を押し固める押し棒と、を有する試料作製用具セットであって、前記押し棒の下側端部の外径は、前記差込口の内径より小さいかまたは同じであり、前記押し棒は、前記下側開口に挿入されて保管されることを特徴とする。
【０００９】
請求項３に記載の試料作製用具セットは、請求項２に記載の試料作製用具セットにおいて、前記押し棒は、保管された状態で前記下側端部を床から離れた位置に保持する当接部を有することを特徴とする。
【００１０】
請求項４に記載の試料作製用漏斗または試料作製用具セットは、請求項１乃至３のいずれかに記載の試料作製用漏斗または試料作製用具セットにおいて、さらに、前記内側側面の外側に、前記内側側面と傾きの異なる外側側面を有し、前記内側側面と前記外側側面の間は、充填された構造であることを特徴とする。
【００１１】
請求項５に記載の試料作製用漏斗または試料作製用具セットは、請求項４に記載の試料作製用漏斗または試料作製用具セットにおいて、前記外側側面は、前記支持脚部と連続的に形成されることを特徴とする。
【００１２】
請求項６に記載の試料作製用漏斗または試料作製用具セットは、請求項１乃至５のいずれかに記載の試料作製用漏斗または試料作製用具セットにおいて、床から前記下側開口までの高さより高い前記試料容器の縁に当接する平坦部を、前記漏斗部の外側に有することを特徴とする。
【００１３】
請求項７に記載の試料作製用漏斗または試料作製用具セットは、請求項１乃至６のいずれかに記載の試料作製用漏斗または試料作製用具セットにおいて、前記支持脚部の側面に、前記試料容器の有無が確認できる側面開口を有することを特徴とする。
【００１４】
請求項８に記載の試料作製用漏斗または試料作製用具セットは、請求項１乃至７のいずれかに記載の試料作製用漏斗または試料作製用具セットにおいて、前記試料作製用漏斗または前記押し棒は、ポリエチレン、ポリプロピレン、ポリオキシメチレンまたはポリテトラフルオロエチレンで形成されることを特徴とする。
【００１５】
請求項９に記載の試料作製用漏斗または試料作製用具セットは、請求項１乃至８のいずれかに記載の試料作製用漏斗または試料作製用具セットにおいて、前記試料作製用漏斗または前記押し棒は、帯電防止剤を含む樹脂で形成されることを特徴とする。
【考案の効果】
【００１６】
請求項１に記載の考案によれば、蛍光Ｘ線分析装置を用いて粉末状の試料を分析する際に、試料を試料容器に入れる作業を容易にすることができる。
【００１７】
また、請求項２に記載の考案によれば、押し棒の収納スペースを節約することが出来るとともに、試料作製用漏斗と押し棒の管理が容易となる。
【００１８】
また、請求項３に記載の考案によれば、押し棒を保管した状態で、押し棒に汚れが付着することを防止できる。
【００１９】
また、請求項４、５、８及び９に記載の考案によれば、内側側面に付着する粉末試料を少なくすることが出来る。
【００２０】
また、請求項６に記載の考案によれば、試料容器の転倒を防止することが出来る。
【００２１】
また、請求項７に記載の考案によれば、試料容器を設置し忘れた状態で試料を投入してしまうことを防止することが出来る。
【図面の簡単な説明】
【００２２】
【図１】本考案の実施形態に係る試料作製用漏斗及び押し棒を概略的に示す図である。
【図２】試料作製用漏斗の断面図及び上から見た図である。
【図３】粉末試料を試料容器に入れる工程を示す図である。
【図４】粉末試料を試料容器に入れる工程を示す図である。
【図５】粉末試料を試料容器に入れる工程を示す図である。
【図６】粉末試料を押し固める工程を示す図である。
【図７】押し棒が試料作製用漏斗に挿入された状態を示す図である。
【図８】変形例における試料作製用漏斗を示す断面図である。
【考案を実施するための形態】
【００２３】
以下、本考案を実施するための好適な実施の形態（以下、実施形態という）を説明する。図１は本考案に係る試料作製用漏斗１００及び押し棒１０２を概略的に示す図である。図１（ａ）は、試料作製用漏斗１００を俯瞰的に見た図であり、図１（ｂ）は、押し棒１０２を俯瞰的に見た図である。また、図２（ａ）は、試料作製用漏斗１００の断面を示す図であり、図２（ｂ）は、試料作製用漏斗１００を上側から見た図である。
【００２４】
図１（ａ）及び図２（ａ）に示すように、試料作製用漏斗１００は、漏斗部と、支持脚部１１４と、を有し、蛍光Ｘ線分析用の粉末試料４００（後述）を試料容器３００（後述）に入れる器具である。漏斗部は、上側開口１０４と、下側開口１０６と、内側側面１０８と、差込口１１０と、外側側面１１２とを有する。
【００２５】
上側開口１０４は、漏斗部の上側に設けられた開口部である。具体的には、例えば、上側開口１０４は、漏斗部の上側に設けられた５０ｍｍの径の開口部である。
【００２６】
下側開口１０６は、上側開口１０４よりも開口面積の小さい開口部である。具体的には、例えば下側開口１０６は、漏斗部の下端に設けられた開口部である。また、下側開口１０６は、図２（ｂ）に示すように、上側開口１０４よりも開口面積の小さい２０ｍｍの径の開口部である。
【００２７】
内側側面１０８は、上側開口１０４から下側開口１０６に向かって傾斜した面である。具体的には、内側側面１０８は、上側開口１０４から下側開口１０６に向かって傾斜した面であって、漏斗部を水平な床（例えば、実験用の作業台）に置いた場合に、床に対して６０乃至６５度傾いた面である。蛍光Ｘ線分析用の粉末試料４００が内側側面１０８を滑らかに滑るように、内側側面１０８は最大高さ粗さが６．３μｍ以下であることが望ましい。
【００２８】
差込口１１０は、内側側面１０８の下端と下側開口１０６との間に設けられる。具体的には、例えば、差込口１１０は、内側側面１０８の下端から下側に向かって、円筒状に形成される。差込口１１０の下端は、下側開口１０６である。
【００２９】
下側開口１０６は、図３に示すように内部に配置される試料容器３００の上端よりも低い位置に配置され、試料容器３００の動きを規制する。具体的には、例えば、試料作製用漏斗１００の内部に配置された状態で、下側開口１０６は、床から２５ｍｍの位置に配置される。また、高さが３０ｍｍである試料容器３００は、試料作製用漏斗１００の内部に配置される。これにより、差込口１１０が試料容器３００の縁に干渉することによって、下側開口１０６は、試料容器３００の動きを規制する。
【００３０】
外側側面１１２は、内側側面１０８の外側に、内側側面１０８と傾きが異なるように形成される。具体的には、外側側面１１２は、内側側面１０８の外側に、試料作製用漏斗１００が水平に置かれた状態で垂直に形成される。また、内側側面１０８と外側側面１１２の間は、充填された構造であることが望ましい。内側側面１０８と外側側面１１２の間が充填されていれば、スパチュラで叩かれた外側側面１１２の振動が、内側側面１０８に伝わり易くなる。これにより、内側側面１０８に粉末試料４００が付着していた場合、付着した試料を容易に試料容器３００に入れることができる。なお、外側側面１１２は、床に対して垂直でなくてもよい。
【００３１】
支持脚部１１４は、漏斗部と一体化され、床と接触して自立する脚部である。具体的には、例えば、支持脚部１１４は、図２（ａ）に示すように、試料容器３００が入れられる領域の周囲を囲むように、円筒状に形成される。なお、支持脚部１１４の形状は円筒状でなくてもよい。また、図２（ａ）では、外側側面１１２が支持脚部１１４と連続的に形成される実施形態を記載しているが、外側側面１１２と支持脚部１１４の間に段差が設けられてもよい。
【００３２】
試料作製用漏斗１００が床に載置された状態で、床から下側開口１０６までの高さより高い試料容器３００の縁に当接する平坦部１１１を、漏斗部の外側に有する構成とすることが望ましい。例えば図２に示すように、試料作製用漏斗１００は、差込口１１０の周囲に平坦部１１１を有する。当該構成によれば、仮に支持脚部１１４の下端から差込口１１０の上側端部までの高さよりも高い試料容器３００に対して試料作製用漏斗１００を被せたとしても、当該平坦部１１１と試料容器３００の上端が当接することによって、試料容器３００が転倒することを防止できる。
【００３３】
支持脚部１１４の側面には、例えば図３乃至５に示すように、内部に配置される試料容器３００の有無が確認できる側面開口１１５を有してもよい。これにより、試料容器３００を設置し忘れて粉末試料４００を投入してしまうことを防止できる。側面開口１１５は、孔であっても床と接する面まで切り欠いたものでもよい。また、側面開口１１５を複数設けてもよい。
【００３４】
押し棒１０２は、試料容器３００に入れられた試料を押し固める棒状の器具である。具体的には、図１（ｂ）に示すように、押し棒１０２は、下側端部の外径が差込口１１０の内径より小さいかまたは同じである円柱状の器具である。また、押し棒１０２は、試料作製用漏斗１００に保管された状態（詳細は後述）で、下側端部を床から離れた位置に保持する当接部１１６を有する。当接部１１６の下側は、外径が差込口１１０の内径より小さいかまたは同じに形成される。当接部１１６の上側は、当接部１１６の下側と同じ外径となるように形成されてもよいし、図１（ａ）に示すように、当接部１１６の下側よりも大きい外径となるように形成されてもよい。
【００３５】
試料作製用漏斗１００および押し棒１０２は、樹脂で形成される。具体的には、例えば、試料作製用漏斗１００および押し棒１０２は、ポリエチレン、ポリプロピレン、ポリオキシメチレンまたはポリテトラフルオロエチレンで形成される。これらの材質は化学的に不活性であり、粉末試料４００との接触による内側側面１０８および押し棒１０２の変質が起こりにくい。また、内側側面１０８および押し棒１０２の表面を滑らかに加工しやすいため、粉末試料４００を付着しにくくすることができる。
【００３６】
試料作製用漏斗１００および押し棒１０２は、帯電防止剤を含む樹脂で形成されることが望ましい。これにより、内側側面１０８および押し棒１０２に、粉末試料４００を付着しにくくすることができる。
【００３７】
試料作製用漏斗１００は、内部に試料容器３００を収容できる大きさの空間を有する。具体的には、試料作製用漏斗１００は、支持脚部１１４の内径が試料容器３００の外径よりも大きくなるように形成される。例えば、試料容器３００の外径が４０ｍｍであれば、試料作製用漏斗１００は、支持脚部１１４の内径が４５ｍｍとなるように形成される。
【００３８】
また、試料作製用漏斗１００は、差込口１１０の外径が試料容器３００の内径よりも小さくなるように形成される。例えば、試料容器３００の内径が２５ｍｍであれば、試料作製用漏斗１００は、差込口１１０の外径が２２ｍｍとなるように形成される。
【００３９】
また、試料作製用漏斗１００は、試料容器３００の上端が差込口１１０の上側端部の位置よりも低くなるように形成される。例えば、試料容器３００の高さが３０ｍｍである場合、試料作製用漏斗１００が床に置かれた状態で、差込口１１０の上側端部が床から３２ｍｍの位置となるように、試料作製用漏斗１００は形成される。
【００４０】
さらに、試料作製用漏斗１００は、試料容器３００が下側開口１０６の内側に入らない大きさとなるように形成される。具体的には、試料作製用漏斗１００は、支持脚部１１４の内径と下側開口１０６との平均値が試料容器３００の外径よりも小さくなるように形成される。例えば、試料容器３００の外径が、３５ｍｍであれば、試料作製用漏斗１００は、支持脚部１１４の内径が４５ｍｍかつ下側開口１０６が２０ｍｍとなるように形成される。これにより、試料容器３００の中心位置と試料作製用漏斗１００の中心位置とがずれた場合であっても、試料容器３００が下側開口１０６の内側に入ることを防止できる。
【００４１】
上記の設計に従えば、例えば、試料作製用漏斗１００は、支持脚部１１４の内径が４５ｍｍ、差込口１１０の外径２２ｍｍ、下側開口１０６が２０ｍｍ、かつ、差込口１１０の上側端部が床から３２ｍｍの位置となるように形成される。当該試料作製用漏斗１００は、外形が４５ｍｍ未満かつ３２．５ｍｍ以上、内径が２２ｍｍ以上、高さが３２ｍｍ未満の試料容器３００に対して適用される。
【００４２】
続いて、粉末試料４００を試料容器３００に入れる工程について説明する。図３乃至図６は、粉末試料４００を試料容器３００に入れる工程及び粉末試料４００を押し固める工程を示す図である。
【００４３】
まず、図３に示すように、試料容器３００は、試料作製用漏斗１００の内部に配置される。具体的には、実験用の作業台に蛍光Ｘ線分析に用いられる試料容器３００が置かれた状態で、当該試料容器３００に試料作製用漏斗１００が上から被せられる。
【００４４】
ここで、試料容器３００は、蛍光Ｘ線分析装置の内部に載置されるため、試料容器３００の外形は蛍光Ｘ線分析装置に応じて定まる。本実施形態においては、試料容器３００の外形が円形状である場合について説明する。また、試料容器３００の形状に合わせて、図１及び図２で示したように、支持脚部１１４の形状が円筒状である場合について説明する。
【００４５】
次に、図４に示すように、粉末試料４００は、スパチュラ等を用いて、試料作製用漏斗１００の上側開口１０４から投入される。上側開口１０４は、試料容器３００の内径よりも大きいことから、容易に粉末試料４００を入れることができる。
【００４６】
次に、図５に示すように、試料作製用漏斗１００を少し浮かせた状態でスパチュラで外側側面１１２を叩くことにより、試料作製用漏斗１００に振動を与える。これにより、粉末試料４００が内側側面１０８に付着している場合であっても、付着した粉末試料４００を試料容器３００に入れることができる。なお、試料測定用漏斗に振動を与える方法はこれに限られず、試料作製用漏斗１００で床を軽く叩くことにより、試料測定用漏斗に振動を与えてもよい。
【００４７】
次に、図６に示すように、試料容器３００に入れられた粉末試料４００は、押し棒１０２で押し固められる。具体的には、試料容器３００に入れられた粉末試料４００に対して、押し棒１０２が押し付けられることにより、粉末試料４００は押し固められる。以上の工程により、粉末試料４００を試料容器３００に入れる作業は完了する。
【００４８】
なお、押し棒１０２は、粉末試料４００を押し固めた後、試料作製用漏斗１００と一体的に保管されてもよい。具体的には、試料作製用漏斗１００と、試料容器３００に挿入された試料を押し固める押し棒１０２とは、試料作製用具セットを構成してもよい。例えば、図７に示すように、押し棒１０２は、下側開口１０６に挿入されて保管される。ここで、押し棒１０２の当接部１１６が内側側面１０８と同じ傾きの面を有するように構成することで、押し棒１０２は、内側側面１０８を傷つけないように保管される。さらに、押し棒１０２が当接部１１６を有することにより、押し棒１０２の下端が床から浮いた状態で保管される。これにより、押し棒に汚れが付着することを防止できる。
【００４９】
本考案は、上記の実施例に限定されるものではなく、種々の変形が可能である。試料作製用漏斗１００の構成は一例であって、これに限定されるものではない。上記の実施例で示した構成と実質的に同一の構成、同一の作用効果を奏する構成または同一の目的を達成する構成で置き換えてもよい。
【００５０】
[変形例]
例えば、試料作製用漏斗１００は、内側側面１０８と外側側面１１２の間が充填されていない構造であってもよい。具体的には、図８に示すように、試料作製用漏斗１００は、内側側面１０８と外側側面１１２の間に空間を有する構成としてもよい。これにより、試料作製用漏斗１００は、上記実施形態よりも、少ない材料で形成され、かつ、軽量となる。
【００５１】
また、試料作製用漏斗が床に載置された状態で、床から下側開口１０６までの高さより高い試料容器３００の縁に当接する平坦部１１１は、例えば図８に示すように、差込口１１０の上端から外側側面１１２に向かって突き出た庇状の構成としてもよい。
【符号の説明】
【００５２】
１００  試料作製用漏斗、１０２  押し棒、１０４  上側開口、１０６  下側開口、１０８  内側側面、１１０  差込口、１１１  平坦部、１１２  外側側面、１１４  支持脚部、１１５  側面開口、１１６  当接部、３００  試料容器、４００  粉末試料。
【図１】
0003211912.tif 000003
【図２】
0003211912.tif 000004
【図３】
0003211912.tif 000005
【図４】
0003211912.tif 000006
【図５】
0003211912.tif 000007
【図６】
0003211912.tif 000008
【図７】
0003211912.tif 000009
【図８】
0003211912.tif 000010